(57)【要約】【課題】簡単な構成で、特に親指に近いキーを押下することを容易にする携帯電話機を提供する。【解決手段】ボディ後部５にはスライド穴１１が備わる。キーパネル２には可動部１０が備わる。可動部１０の上下端の爪部は、スライド穴の凹部１３とスライド可能に契合する。これにより、キーパネル２は、ボディ後部５に対して左右方向にスライドする。左にスライドしたときに、親指に近いキーを押下することが容易となる。【選択図】図４
2007258912.tif 000002
【特許請求の範囲】
【請求項１】
本体とキーパネルとキーパネルの裏側にあるボディ後部とを備える携帯電話機において、
前記ボディ後部に対して前記キーパネルを前記キーパネルの左右方向にスライドさせるための機構を備えることを特徴とする携帯電話機。
【請求項２】
請求項１に記載の携帯電話機において、
前記機構は、前記キーパネルに備わった可動部と可動部の両端に備わった爪部と、前記ボディ後部に備わったスライド穴とスライド穴に備わった凹部とを備え、爪部と凹部とがスライド可能に契合することを特徴とする携帯電話機。
【請求項３】
請求項１に記載の携帯電話機において、
前記キーパネルの左右に利用者がキーパネルを左右方向にスライドさせるときに利用するスライド穴を備えることを特徴とする携帯電話機。
【請求項４】
請求項１に記載の携帯電話機において、
前記キーパネルの裏側に指置き部を備えることを特徴とする携帯電話機。
【請求項５】
請求項１に記載の携帯電話機において、
前記キーパネルを前記キーパネルを鉛直方向に貫く軸を中心として回転させるための機構を備えることを特徴とする携帯電話機。
【請求項６】
請求項１に記載の携帯電話機において、
前記キーパネルを前記キーパネルを縦軸方向に貫く軸を中心として回転させるための機構を備えることを特徴とする携帯電話機。
【請求項７】
本体とキーパネルとキーパネルの裏側にあるボディ後部とを備える携帯電話機において、
前記キーパネルを前記キーパネルを鉛直方向に貫く軸を中心として回転させるための機構を備えることを特徴とする携帯電話機。
【請求項８】
本体とキーパネルとキーパネルの裏側にあるボディ後部とを備える携帯電話機において、
前記キーパネルを前記キーパネルを縦軸方向に貫く軸を中心として回転させるための機構を備えることを特徴とする携帯電話機。
【発明の詳細な説明】
【技術分野】
【０００１】
本発明は、携帯電話機に関し、特に、キーパネルに特徴を有する携帯電話機に関する。
【背景技術】
【０００２】
使用者が、携帯電話機に対して、文字入力などの各種のキー操作を行うために使用する入力操作部（キーパネル）は、通常、携帯電話機の本体と一体になっているため、本体とは別々に動かしてキーの位置を変えることはできなかった。このため、携帯電話機を握って固定した際に、親指とキーパネルの位置関係は自ずと固定され、親指に近いキーが押しづらく、操作が不便になりやすかった。使用者の指の長さ、指の可動範囲、操作の癖などの条件によっては、親指に近いキーをまったく押すことができないために、使用者は、キーを押すたびに携帯電話機を握り直したり、もう一方の手を使ってキー操作を補う必要があった。
【０００３】
上記のような、キー操作に関する不便さを解決する目的とは異なるが、特開平０９−２１２２６９号公報「可動式キーボード」（特許文献１）では、キーボードを左右に拡縮する機構を備え、ポータブルコンピュータにおいて重要なキーボードの小型化を実現している。この例では、キーボード上の各キーの間隔を広げることができるために、使用者のキー入力の操作性を高める効果がある。しかしながら、同様の拡縮機構を携帯電話機の本体に組み込むためには、部品の小型化や、部品点数の増加による製造コスト高など、解決すべき課題が多く、実現性に乏しい。
【０００４】
従来、携帯電話機の使用者が、文字入力などの各種のキー操作を行う際に、親指に近いキーが押しづらく、操作が不便になりやすかった。使用者の指の長さ、指の可動範囲、操作の癖などの条件によっては、親指に近いキーをまったく押すことができなかった。
【０００５】
また、特開平０９−２１２２６９号公報「可動式キーボード」（特許文献１）では、ポータブルコンピュータのキーボードを左右に拡縮する機構を備え、キーボード上の各キーの間隔を広げることによって、使用者のキー入力の操作性を高めることのできる方法が開示されている。
【特許文献１】特開平０９−２１２２６９号公報
【発明の開示】
【発明が解決しようとする課題】
【０００６】
しかしながら、上述した従来の方法には、次のような課題があった。
【０００７】
第１の課題は、使用者が、キーを押しづらい状態で入力操作を続けた場合に、入力ミスが頻発したり、キー操作に時間がかかったり、指に負担がかかり過ぎるなど、操作性や使い勝手に問題があった。
【０００８】
また、キーをまったく押せない場合に、親指を押しやすい位置で携帯電話機を操作するために、使用者は、キーを押すたびに携帯電話機を握り直したり、あるいは、もう一方の手を使ってキー操作を補う必要があった、という点である。
【０００９】
第２の課題は、特許文献１の例で開示されているキーボードの拡縮機構を、携帯電話機の本体に組み込むためには、部品の小型化や、部品点数の増加による製造コスト高など、解決すべき課題が多く、実現性に乏しい、という点である。
【００１０】
本発明の目的は、簡単な構成で、特に親指に近いキーを押下することを容易にする携帯電話機を提供することにある。
【課題を解決するための手段】
【００１１】
本発明の携帯電話機は、上記の課題を解決するために、キーパネルが、可動部を介して携帯電話機の本体と連結されている。可動部は、キーパネルに接合されており、さらに、キーパネルは本体に対してスライドして移動させることのできる機構を持っている。使用者は、キーパネルを本体とは個別に、本体に対して左右の方向に動かすことができる。使用者は、キー操作を行いやすい位置にキーパネルを設置できるため、携帯電話機を握り直す必要なく、従来は押しづらかった親指に近いキーの操作も、スムーズに行うことができる。
【発明の効果】
【００１２】
本発明においては、以下に記載するような効果を奏する。
【００１３】
本発明は、キーパネルが可動部を備えており、携帯電話機の本体に対してスライドして移動させることができる。使用者は、親指でキー操作を行いやすい位置にキーパネルを設置することができるため、従来は押しづらかったキーの操作が容易になり、より多くの使用者にとって、使い勝手の良いキー操作を提供できる効果がある。
【発明を実施するための最良の形態】
【００１４】
以下、図面を参照して本発明を実施するための最良の形態について詳細に説明する。
【００１５】
携帯電話機の入力操作部（キーパネル）が、可動部を介して携帯電話機の本体と連結されている。可動部は、キーパネルに接合されており、さらに、キーパネルは本体に対してスライドして移動させることのできる機構を持っている。使用者は、キーパネルを本体とは個別に、本体に対して左右の方向に動かすことができる。使用者は、キー操作を行いやすい位置にキーパネルを設置できるため、入力ミスを減らし、スムーズで指に負担のかからない、使い勝手の良いキー操作を行うことができる。
【００１６】
図１は、本発明の携帯電話機を前面から見た図である。図１を参照すると、本発明の第１の実施形態では、携帯電話機は、本体１、各種のキー操作を行うためのキーパネル２、キーパネルと連結したボディ後部５を備える。キーパネル２は、ボディ後部５に対して、スライド方向２０で示すように左右にスライドさせるための調節穴（左）３、および調節穴（右）４を備えている。使用者は、前面の指１０１（通常は親指）を使ってキーパネル２の各キーを操作する。各キーのうち、前面の指１０１からの距離が最も近いキー群を入力キー（内側）３１とし、距離が最も遠いキー群を入力キー（外側）３０とする。
【００１７】
図２は、本発明の携帯電話機を背面から見た図である。図２を参照すると、キーパネル２の裏側に、背面の指１０２を置くための指置き部６が存在し、スライド移動させたキーパネル２に、背面の指１０２を添えることのできる構造になっている。ボディ後部５の側面は薄いので、指１０２の先端でボディ後部５の側面をつかむことが困難な場合がある。また、キーパネル２をスライドさせた状態では、ボディ後部５の右端とキーパネル２の左端との間の距離が長いので、指１０２の先端がキーパネル２の左端に届かない場合がある。このような場合であっても、指置き部６に指１０２の先端を添えることができ、これにより使用者は携帯電話機をしっかりと握ることが可能となる。
【００１８】
図３は、本発明の携帯電話機を側面から見た図である。図３を参照すると、キーパネル２の前面側に調節穴（左）３が、背面側に指置き部６が配置されている。使用者は、ボディ後部５を手のひらで支え、背面の指１０２を指置き部６に添えることで、携帯電話機の本体１を固定しながらキー操作を行う。
【００１９】
図４は、本発明において、キーパネル２をボディ後部５に対してスライド移動させるための機構を示す、携帯電話機を前面から見た構造図である。図４において、キーパネル２とボディ後部５は、可動部１０を介して連結している。可動部１０は、キーパネル２に接合されており、一方、スライド穴１１は、ボディ後部５に設けられている。可動部１０は、両端を爪として、スライド穴１１に引っ掛かるような構造になっている。この構成については後述する。また、スライド方向（左）２１に向けてキーパネル２を動かす場合に、可動部１０とスライド穴１１の接点は、ある程度の摩擦力を生じて、容易にスライドしない構造になっている。
【００２０】
図５は、本発明において、キーパネル２をボディ後部５に対してスライド移動させるための機構を示す、携帯電話機を背面から見た構造図である。図５において、キーパネル２とボディ後部５は、可動部１０を介して連結している。可動部１０は、キーパネル２に接合されており、一方、スライド穴１１は、ボディ後部５に設けられている。可動部１０は、両端を爪として、スライド穴１１に引っ掛かるような構造になっている。また、スライド方向（左）２１に向けてキーパネル２を動かす場合に、可動部１０とスライド穴１１の接点は、ある程度の摩擦力を生じて、容易にスライドしない構造になっている。
【００２１】
図６は、キーパネル２の構成を示す図である。可動部１０は、図６に示すように、キーパネル１０の裏側に取り付けられている。爪は１２で示す部分である。
【００２２】
図７は、ボディ後部５の構成を示す図である。スライド穴１１は、ボディ後部の表側に取り付けられている。図８に示すように凹部１３に爪１２がスライド可能に契合する。
【００２３】
本発明の実施形態の動作について、図面を参照して詳細に説明する。
【００２４】
図１において、使用者は、前面の指１０１を使ってキーパネル２の各キーを操作する。キーパネル２の横幅は、使用者が片手で操作することのできる平均的なサイズに抑えられているため、使用者の前面の指１０１（親指）は、問題なく入力キー（外側）３０まで届き、キー操作を行うことができる。一方、入力キー（内側）３１は、親指を折り曲げてキー操作を行うことが多く、一般に、キーが押しづらく操作が不便になりやすい。使用者の指の長さ、指の可動範囲、操作の癖などの条件によっては、入力キー（内側）３１をまったく押すことができないために、使用者は、キーを押すたびに携帯電話機を握り直したり、もう一方の手を使ってキー操作を補う必要がある。
【００２５】
ここで、使用者は、調節穴（左）３および調節穴（右）４を押しながら、キーパネル２をボディ後部５とは別々に、スライド方向２０で示すような左右の方向にスライド移動させることができる。その結果、キーパネル２は、親指がキー操作を行いやすい位置に固定されるため、使用者は、スムーズで指に負担のかからない状態で、キー操作を継続することができる。
【００２６】
図２において、スライド移動させて位置を固定したキーパネル２に対し、背面の指１０２を指置き部６に添えることで、キーパネル２の固定が確かなものになり、使用者のキー操作を、より安定させることができる。
【００２７】
次に、キーパネル２とボディ後部５を連結する可動部の動作について、図４の構造図を参照しながら説明する。
【００２８】
図４において、スライド方向（左）２１にキーパネル２をスライド移動させる場合、可動部１０はキーパネル２とともに動く。可動部１０は、両端を爪にして、スライド穴１１に引っ掛かる構造になっており、スライド穴１１の横幅の範囲で左右に動くことができる。可動部１０は、キーパネル２のキーが押されたことを、携帯電話機の制御部を有するボディ後部５に伝えるための、制御用の配線を含んでいても良い。
【００２９】
本発明の他の実施形態として、キーパネルの位置を左右にスライドさせるだけでなく、可動部１０の軸部に回転機構１４（図９参照）を設け、キーパネル２を貫くｚ軸を中心として、キーパネルを反時計方向（図１０（ａ）参照）又は時計方向（図１０（ｂ）参照）に回転できるような機構を組み込めば、キー操作を行う使用者が求める使い勝手に、より柔軟に対応することができる。さらに、キーパネルを、キーパネル２の底面を船底状にしたり（図１１参照）、ボディ後部５のキーパネルと接する面を船底状態とする（図１２参照）ことにより、携帯電話機の縦方向を軸にして回転させる（図１３参照）ような機構を組み込むようにしてもよい。
【００３０】
なお、上記の実施形態では、折りたたみ式の携帯電話機を例に取り説明をしたが、ストレート型やスライド型の携帯電話機にも本発明を適用することができる。
【図面の簡単な説明】
【００３１】
【図１】本発明の実施形態による携帯電話機の正面図である。
【図２】本発明の実施形態による携帯電話機の背面図である。
【図３】本発明の実施形態による携帯電話機の左側面図である。
【図４】本発明の実施形態による携帯電話機の正面図であって、キーパネルを左方向にスライドさせた状態及びそのための機構を示す図である。
【図５】本発明の実施形態による携帯電話機の背面図であって、キーパネルを左方向にスライドさせた状態及びそのための機構を示す図である。
【図６】本発明の実施形態によるキーパネルの構成を示す図である。
【図７】本発明の実施形態によるボディ後部の構成を示す図である。
【図８】本発明の実施形態によるキーパネルとボディ後部とを組み立てた状態を示す断面図である。
【図９】本発明の実施形態による回転機構を備えた軸を有する可動部を備えるキーパネルの構成を示す側面図である。
【図１０】本発明の他の実施形態による携帯電話機のｚ軸を中心として傾いたキーパネルを示す図である。
【図１１】本発明の他の実施形態によるキーパネルの構造を示す底面図である。
【図１２】本発明の他の実施形態によるボディ後部の構造を示す底面図である。
【図１３】本発明の実施形態による携帯電話機のｙ軸を中心として傾いたキーパネルを示す図である。
【符号の説明】
【００３２】
１  本体
２  キーパネル
３  調節穴（左）
４  調節穴（右）
５  ボディ後部
６  指置き部
１０  可動部
１１  スライド穴
２０  スライド方向
２１  スライド方向（左）
３０  入力キー（外側）
３１  入力キー（内側）
１０１  前面の指
１０２  背面の指
【図１】
2007258912.tif 000003
【図２】
2007258912.tif 000004
【図３】
2007258912.tif 000005
【図４】
2007258912.tif 000006
【図５】
2007258912.tif 000007
【図６】
2007258912.tif 000008
【図７】
2007258912.tif 000009
【図８】
2007258912.tif 000010
【図９】
2007258912.tif 000011
【図１０】
2007258912.tif 000012
【図１１】
2007258912.tif 000013
【図１２】
2007258912.tif 000014
【図１３】
2007258912.tif 000015